(57)【要約】      （修正有）【課題】筐体に対して、繰り返し貼ったり剥がしたりすることが容易な当該所定の部位のデザインを変更する装着物を提供する。【解決手段】当該所定の部位のデザインを変更する装着物３を構成する所定の面または所定の部位に、多数の微小な吸着構造体が露出する特殊吸着構造面を形成し、露出している多数の微小な吸着構造体により筐体１に設けた貼り付け面に吸着して保持する。【選択図】図１
0003183805.tif 000002
【実用新案登録請求の範囲】
【請求項１】
筐体の所定の部位に貼り付け、当該所定の部位のデザインを変更する装着物の構造であって、
前記装着物を構成する所定平面または曲面の所定の部位に形成または接着された、前記筐体の所定の部位に前記装着物を吸着保持するための多数の微小な吸着構造体が露出している微小吸着構造面を有することを特徴とする筐体のデザインを変更する装着物の構造。
【考案の詳細な説明】
【技術分野】
【０００１】
本考案は、デザイン性を有する情報装置（通信装置を含む）または電子機器一般の装置において、利用者や保守者などが、化粧パネルなどの当該所定の部位のデザインを変更する装着物を前記装置筐体の所定の部位に、貼ったり剥がしたりすることで容易にデザインを変更することが可能な構造に関する。
【背景技術】
【０００２】
情報装置または通信装置または電機装置等の筐体に、当該装置のカラーバリエーションや他の装置とのデザイン的差別化を図るために、化粧パネルなどの当該所定の部位のデザインを変更する装着物を、利用者や保守者が任意で貼り替えることがある。
【０００３】
その際、化粧パネルを貼る場合は接着テープで貼ることが通例であったため、デザインを変更しようとして前記化粧パネルを剥がした場合には、剥がした後に粘着剤や粘着テープの基材が残るという問題があった。また、前記接着テープは一度剥がすと粘着力が極端に劣化するため、同じ化粧パネルを再び貼り付けて使用するということが困難であるという問題もあった（例えば、特許文献１）。即ち、容易にデザインを変更することへの配慮が不足している。
【先行技術文献】
【特許文献】
【０００４】
【特許文献１】登録実用新案第３１１０７７７号公報
【考案の概要】
【考案が解決しようとする課題】
【０００５】
そこで、本考案の課題は、当該所定の部位のデザインを変更する装着物を接着テープによる貼り付け以外の手段で、筐体の所定の部位に対して繰り返し貼ったり剥がしたりすることが容易な当該所定の部位のデザインを変更する装着物を提供することにある。
【課題を解決するための手段】
【０００６】
上記課題を解決するために、筐体の所定の部位に貼り付け、当該所定の部位のデザインを変更する装着物であって、前記装着物を構成する所定の平面または曲面の所定の部位に形成または接着された、前記筐体の所定の部位に前記装着物を吸着保持するための多数の微小な吸着構造体が露出している微小吸着構造面を有することを特徴とする。
【考案の効果】
【０００７】
本考案によれば、当該装置の利用者や保守者が、筐体の所定の部位に対して、当該所定の部位のデザインを変更する装着物を繰り返し貼ったり剥がしたりして前記筐体のデザインを変更することが容易となる保持機構を有する装着物を提供することが出来る。
【０００８】
また、前記微小吸着構造面にて前記筐体に保持されるため、従来の接着テープの様に剥がした後に接着テープの基材が残ってしまう事や、繰り返し剥離をする事による粘着力の劣化が発生せず、繰り返しデザインの変更をすることが出来るようになる。
【図面の簡単な説明】
【０００９】
【図１】本考案による当該所定の部位のデザインを変更する装着物が筐体に装着された状態を示す斜視図
【図２】本考案による当該所定の部位のデザインを変更する装着物を筐体に取り付ける状態を示す斜視図
【図３】本考案による当該所定の部位のデザインを変更する装着物の一実施例を示す図
【考案を実施するための形態】
【００１０】
以下、図面を併用して本考案の実施形態について説明する。
【００１１】
図１は、本考案による当該所定の部位のデザインを変更する装着物３が筐体１に装着された状態を示す斜視図である。１は装置の外形を形成する筐体、３は本考案による当該所定の部位のデザインを変更する装着物３である。尚、本実施例においては情報装置や通信装置の筐体として説明するが、本考案の筐体を適用する対象の装置は、情報装置や通信装置に限るものではなく、電気装置一般または非電気装置の種々の装置の筐体として適用可能である。
【００１２】
図２は、本考案による当該所定の部位のデザインを変更する装着物３を筐体１に取り付ける状態を示す斜視図である。当該所定の部位のデザインを変更する装着物３を、筐体１に形成された平滑な面に貼り付ける。尚、本考案が適用するのは図２に示すような位置に限らず、いずれかの平滑面を筐体１に任意で設け、その場所に貼り付けるよう装着物３の形状の変更を行う事によって、自由度を持たせることが可能であるとする。
【００１３】
図３は、本考案による当該所定の部位のデザインを変更する装着物の一実施例を示す図であって、（ａ）は装着物３を正面から見た図で、（ｂ）は装着物３のデザインとは異なる面に設けられた特殊吸着構造面を示す図である。２は装着物３の任意の平滑面に構成された特殊吸着構造面であって、筐体１を構成するいずれかの平面の所定の箇所に装着することが出来る。
【００１４】
この特殊吸着構造面２には、多数の微小な吸着構造体（例えば、特殊ポリマーフォーム）が露出している。この微小な吸着構造体が露出した面に、平滑な面を有する物を圧接すると、この微小な吸着構造が変形してその内部の空気が抜け、所謂吸盤と同じ原理で、圧接した物を保持することが出来る。ただし、その保持力は吸着構造体内の気圧と外気圧の差によるものなので、吸着構造体と圧接した部位の気密性に依存する。即ち、圧接する物体の圧接面の平滑性に依存し、紙のような平滑性が低いまたは空気が通過できるような物質の場合は、長期間に亘る保持は困難である。ただし、短期間（例えば、数時間〜数日）保持するには問題ない。なお、特殊吸着構造面２の形成箇所および形成箇所の数は任意である。
【００１５】
また、図３（ａ）で示す装着物３におけるデザインについては任意のデザインに変更することが可能である。例えば、図３（ａ）と同様形状のデザインであってもその配色を変えたり、図３（ａ）とは全く違うデザインの印刷を使用することも可能である。また、装着物３の形状についても、図３で紹介した形状以外にも、例えば丸や四角などを融合した有機的な任意の形状を形成することが可能である。
【００１６】
また、図３（ｂ）では一面全てが特殊吸着構造面２となっているが、当該所定の部位のデザインを変更する装着物３の装着を保持できるだけの装着力が確保できる範囲で任意の特殊吸着面形状とすることが可能である。
【００１７】
以上説明した通り、本考案によれば、当該所定の部位のデザインを変更する装着物３を、筐体１に対して繰り返し貼ったり剥がしたりすることで、容易に装置のデザインを変更することが可能となる吸着保持する機能を有する装着物を提供することが出来る。
【符号の説明】
【００１８】
１  ・・・筐体
２  ・・・特殊吸着構造面
３  ・・・当該所定の部位のデザインを変更する装着物
【図１】
0003183805.tif 000003
【図２】
0003183805.tif 000004
【図３】
0003183805.tif 000005